Podtech/llm-jp-corpus-v4-ja_patent huggingface dataset:
(57)【要約】【課題】  保冷箱を構成する部材により保冷箱を組立て、前記材料を保冷室に、ドライアイスを冷媒室に入れ、保冷箱上面に天蓋を載せ、段ボール箱による梱包することで、従来の発泡スチロールより温度戻り速度が小さく、保冷性に優れた保冷箱が提供すること。【解決手段】  保冷箱本体とその上面開口部を覆う上蓋とを有する保冷箱において、保冷箱が生物分解性材料からなる保冷箱であって、該保冷箱は底面から対面に開口部が伸び、開口部に嵌合又は載せる生物分解性天蓋及び／又は、保冷箱内部を上下及び／又は左右に分ける生物分解性中仕切及び冷媒を有することを特徴とする生分解性保冷箱。【選択図】  なし【特許請求の範囲】
【請求項１】
保冷箱本体とその上面開口部を覆う上蓋とを有する保冷箱において、保冷箱が生物分解性材料からなる保冷箱であって、該保冷箱は底面から対面に開口部が伸び、開口部に嵌合又は載せる生物分解性天蓋及び／又は、保冷箱内部を上下及び／又は左右に分ける生物分解性中仕切及び冷媒を有することを特徴とする生分解性保冷箱。
【請求項２】
前記保冷箱が段ボール箱、及び／又は発泡ポリエチレンシート及び／又は発泡ポリエチレンバッグと併用されることを特徴とする請求項１記載の生分解性保冷箱。
【請求項３】
前記生物分解性材料が、澱粉及び非木材植物繊維粉末、及び／又は崩壊性プラスチックで構成される発泡体からなることを特徴とする請求項１記載の生分解性保冷箱。
【請求項４】
前記冷媒にドライアイス及び／又はプラスチック性蓄冷材が用いられることを特徴とする請求項１記載の生分解性保冷箱。
【発明の詳細な説明】
【技術分野】
【０００１】
本発明は、冷媒又は保冷剤、蓄冷材等を用いて、電気電子工業用材料、半導体用材料等を保冷、冷蔵輸送又は冷凍輸送するための生物分解性保冷箱に関する。
【背景技術】
【０００２】
従来、熱硬化型、紫外線硬化型又は熱紫外線併用硬化型の特性を有する電気、電子工業用材料、半導体用材料等を輸送する場合、工場出荷から使用するまでに材料が変質しないように、発泡スチロール、発泡ポリエチレン等の保冷材で構成される保冷箱にドライアイス又は蓄冷材等の冷媒と供に収納し、冷凍又は冷蔵の状態で輸送されるのが簡便で、一般的である。
【０００３】
しかし、発泡スチロール、発泡ポリエチレン等いわゆる石油を原料とする製品は廃棄処分時に生物分解しないために、焼却処分が通例であったが、単に焼却するだけでは燃焼熱量が大きく、焼却炉をいためる、或いは有害ガスを放出する等の問題があり、更に埋めたて処分もできず、産業廃棄物として処理上の問題があった。
【０００４】
近年同様に梱包用緩衝材の産廃物の問題から、梱包用緩衝材として有用な、生物分解性の材料が例えば特許文献１に開示されている。
【０００５】
【特許文献１】特開平１１−１２３７９号公報
【発明の開示】
【発明が解決しようとする課題】
【０００６】
本発明によれば、保冷箱を構成する部材により保冷箱を組立て、前記材料を保冷室に、ドライアイスを冷媒室に入れ、保冷箱上面に天蓋を載せ、段ボール箱による梱包することで、従来の発泡スチロールより温度戻り速度が小さく、保冷性に優れた保冷箱が提供される。
【課題を解決するための手段】
【０００７】
本願発明者らは、かかる問題に鑑み、産業廃棄物の大幅に低減できる保冷、断熱箱を開示するに至った。
すなわち、本発明は以下の発明に関する。
<１>  保冷箱本体とその上面開口部を覆う上蓋とを有する保冷箱において、保冷箱が生物分解性材料からなる保冷箱であって、該保冷箱は底面から対面に開口部が伸び、開口部に嵌合又は載せる生物分解性天蓋及び／又は、保冷箱内部を上下及び／又は左右に分ける生物分解性中仕切及び冷媒を有することを特徴とする生分解性保冷箱。
<２>  前記保冷箱が段ボール箱、及び／又は発泡ポリエチレンシート及び／又は発泡ポリエチレンバッグと併用されることを特徴とする上記<１>記載の生分解性保冷箱。
<３>  前記生物分解性材料が、澱粉及び非木材植物繊維粉末、及び／又は崩壊性プラスチックで構成される発泡体からなることを特徴とする上記<１>記載の生分解性保冷箱。
<４>  前記冷媒にドライアイス及び／又はプラスチック性蓄冷材が用いられることを特徴とする上記<１>記載の生分解性保冷箱。
【発明の効果】
【０００８】
本発明の保冷箱を構成する部材により保冷箱を組立て、前記材料を保冷室に、ドライアイスを冷媒室に入れ、保冷箱上面に天蓋を載せ、段ボール箱による梱包することで、従来の発泡スチロールより温度戻り速度が小さく、保冷性に優れた保冷箱が提供される。このことから、外装箱が発泡ポリエチレンシートや、発泡ポリエチレンバッグにおいても優位なことが示唆される。以上のように前記業界における材料の輸送に当該保冷箱を用いることで、産廃物低減に大きく貢献できる。
【発明を実施するための最良の形態】
【０００９】
次に、本発明の実施の形態を、図面に基づき詳述する。
すなわち本発明になる保冷箱の断面図を図１に示す。当該保冷箱において、箱の上面開口部を閉じるために天蓋を有し、蓋に嵌合性を高めるための溝や段さを施しても本発明の効果を損ねるものではない。
図1に示される中仕切は保冷箱を冷媒室と、保冷室に区分けするもので、澱粉及び非木材植物繊維粉末、及び／又は崩壊性プラスチックで構成される生物分解性材料からなり、蓋の内側を含む、内壁全面に好ましくは勘合し、且つ、必要によっては冷媒室と保冷室に貫通する切り込みや孔を有してもよい。
【実施例】
【００１０】
次に本発明の実施例を説明するが、本発明はこれらによって制限されるものではない。
実施例1
【００１１】
本発明の保冷箱を構成する部材により保冷箱を組立て、前記材料を保冷室に、ドライアイス2.5kgを冷媒室に入れ、保冷箱上面に蓋を載せ、且つ全体を段ボール箱により梱包し、室温（23-30℃）における非保冷品の温度を測定した。その結果、保冷性は図２に示すように温度戻り速度10.5deg C/23h=0.5deg C/hであった。
比較例1
【００１２】
同様に生物分解性材料に関わる部分のみ発泡スチロールからなる保冷箱に替え、実施例1と同様に非保冷品の温度測定を実施した。保冷箱の発泡スチロールの厚さは、実施例１の材料とほぼ同じ厚さ、サイズとした。その結果、保冷性は図３に示すように温度戻り速度14.0deg C/23h=0.6deg C/hであった。
【００１３】
実施例１と比較例１の結果を比較すると、実施例１の方が比較例１よりも温度戻り速度が小さく、保冷性に優れていることがわかった。尚、発泡ポリエチレンシートや、発泡ポリエチレンバッグは生分解性ではないが、小さく折りたたんで回収すれば、再利用することができるので、産廃物の排出には繋がらない。
【図面の簡単な説明】
【００１４】
【図１】本発明の実施の形態における保冷箱を示す断面図である。
【図２】本発明の実施例１における保冷箱の保冷性能を測定した結果である。
【図３】比較例１における従来の保冷箱の保冷性能を測定した結果である。
【符号の説明】
【００１５】
１：生物分解性天蓋
２：段ボール、発泡ポリエチレンシート又は発泡ポリエチレンバッグ
３：ドライアイス等の冷媒
４：生物分解性中仕切
５：非保冷物
６：生物分解性保冷箱
【図１】
2005200084.tif 000002
【図２】
2005200084.tif 000003
【図３】
2005200084.tif 000004
(57)【要約】  【課題】  紙製手提げ箱の把手ロックを１回の動作で完了する手提げ部の簡単な組み立て方法の提供。  【解決手段】  一方の把手部の指を入れる開口部を打ち抜き片が蓋と繋がるように底だけ残し、打ち抜き片の蓋に繋がっている根本はくびれるように狭くして打ち抜き、その打ち抜き片を相対する把手の同じく指を入れる開口部に差し込み、その開口部根本の両サイドに、差し込んだ打ち抜き片のくびれにより発生した左右の張り出し部をひっかけロックする。  【選択図】  図１
2005200047.tif 000002
【特許請求の範囲】
【請求項１】
相対する上蓋（１ａ、１ｂ）の先端に繋がっている把手（２ａ、２ｂ）に指を入れて握るための打ち抜き開口（３ａ、３ｂ）を設け、その少なくとも片方の打ち抜かれ片（４ｂ）が該蓋（１ａ）の先端として延び、その打ち抜かれ片（４ｂ）の根本がくびれており、この打ち抜かれ片（４ｂ）を他方の把手部の抜き開口部（３ａ）に差し込み、打ち抜かれ片（４ｂ）の根本部の両サイド（６）が、差し込んだ相手の把手開口部（２ａ）根本の両端（５）に引っかかる構造にした事を特徴とする手提げ式紙製容器。
【発明の詳細な説明】
【技術分野】
【０００１】
本発明は、ケーキ箱等に主として用いられるところの手提げ式紙製箱に関し、さらに手提げ部の組み立て構造のうち、特に蓋及び把手の構造に関するものである。
【背景技術】
【０００２】
紙製手提げ式ケーキ箱は、相対する上蓋の両方の先端に繋がっており、その中央に指が入り握れるようになった把手の両端を、把手とは直角方向から伸ばされた把手止め片に差込み固定する方式が一般的に使われている（特許文献１、特許文献２、特許文献３）。
【０００３】
しかしこの方式の手提げ式ケーキ箱の欠点は、組み立て後把手両端が把手止め片で直角方向に止められているため、箱を組み立てた状態で把手部を寝かせることが出来ず、ケーキ収納後、積み重ねられないという問題を有している。解決策として、把手端を差し込む把手止め片のスリットが把手が倒れるように工夫されたもの（特許文献４）や、把手止め片を用いず、把手だけを上蓋から切り起こしたもの（特許文献５）など、把手を寝かし、重ね積みを可能にする方法が示されている。
【特許文献１】実全昭６１−１３２２２７
【特許文献２】特開平０９−０８６５３４
【特許文献３】実登３０５８７７５
【特許文献４】特許３３３９５７６
【特許文献５】特開平０９−２５５０６３
【発明の開示】
【発明が解決しようとする課題】
【０００４】
主としてケーキ箱に使われる手提げ式紙箱の把手部分をケーキ収納後積み重ねられるようにしようとする試みは上記に示すように提案されているが、それぞれに問題を有している。
特許文献４が示す解決法は特許文献１、２、３が持つ共通の問題点であった把手止め片（例えば、特許文献３の図２の１１）のスリット（例えば、特許文献３の図２の２０）に把手端を差し込むという作業のメンドウさ、及び展開図によってはこの把手止め片があるため、面付け効率を悪くするなどの問題点があるうえに、把手止め片の構造を複雑にし結果的に組み立てにくくなっている。特許文献５は上蓋と下蓋の重なり面積が大きく、面付け効率が悪く、さらに上蓋一枚で重量を支えなければ成らず、把手部の切り抜き部から切れやすく強度的に不安が残る。
【０００５】
本発明は、このような先行技術の有していた手提げ式容器の問題点を解決し、組み立てが簡単で、面付け性の悪くすることがある把手止めを必要とせず、強度も問題がなく、ケーキ収納後、把手を寝かせ、箱の積み重ねを可能にする技術を提供しようとするものである。
【課題を解決するための手段】
【０００６】
本発明は、上記目的を達成するために、手提げ式紙製容器で、相対する上蓋（１ａ、１ｂ）の先端に繋がっている把手（２ａ、２ｂ）に指を入れて握るための打ち抜き開口（３ａ、３ｂ）を設け、その少なくとも片方の打ち抜かれ片（４ｂ）が該蓋（１ａ）の先端として延び、その打ち抜かれ片（４ｂ）の根本がくびれており、この打ち抜かれ片（４ｂ）を他方の把手部の抜き開口部（３ａ）に差し込み、打ち抜かれ片（４ｂ）の根本部の両サイド（６）が、差し込んだ相手の把手開口部（２ａ）根本の両端（５）に引っかかるようにしたものである。
【発明の効果】
【０００７】
上記課題解決手段による作用は次の通りである。即ち、相対する把手の指を入れて握るために打ち抜き、該蓋の先端として延びた打ち抜かれ片のうち、その根本がくびれてフック状になっている方を上になるように相手の把手の抜き開口部に差し込むだけで、蓋締めが終了するという極めて簡単で、把手止め片も不要であるため、面付け効率も良い。
【発明を実施するための最良の形態】
【０００８】
以下、本発明の実施形態を図１、図２に基づいて説明する。本発明は手提げ式紙箱に共通する蓋及び把手部の構造に関するものであり、蓋及び把手を除く、箱本体の構造は問わないので、蓋及び把手部のみを取り出して説明する。図１は手提げ式紙箱の相対する蓋だけを示したものである。さらには蓋のロックをする前の状態の理解を深めるため、相対する蓋を離して示してある。抜かれ片（４ｂ）は把手（２ｂ）を手の指を差し込む為の開口部（３ｂ）として蓋と繋がった状態で抜いたものであるが、その根本（７）は左右がくびれ、そのすぐ上は逆に左右に張り出し（６）ている。もう一方の把手（２ａ）にも手の指を差し込む為の開口部（３ａ）があり、開口部根本（５）が、抜かれ片（４ｂ）の根本（７）のくびれより僅かに広く、張り出し（６）より狭くなるようにしてある。把手（２ａ）の抜かれ片（４ａ）は図１の如くそのままでも良いが、根本から切り落としてもどちらでも良い。又、把手（２ａ）の開口部（３ａ）の抜き形状は、抜かれ片（４ｂ）が差し込める形状であれば、形状の制限はない。但し、把手の握り手部分に相当する形状は両把手でそろえておかないと、握り具合がよくないのは勿論である。
【０００９】
図２は蓋締め及びロックされた状態を示す。把手（１ｂ）の抜かれ片（４ｂ）が把手（２ａ）の開口部（３ａ）に差し込まれ、抜かれ片（４ｂ）の根本（７） 及び張り出し（６）が、把手（２ａ）の開口部（３ａ）の左右の根本（５）にロックされた状態を示す。
【図面の簡単な説明】
【００１０】
【図１】蓋ロック前
【図２】蓋ロック後
【符号の説明】
【００１１】
１ａ、１ｂ  蓋
２ａ、２ｂ  把手
３ａ、３ｂ  把手開口
４ｂ        抜かれ片
１          把手開口（３ａ）根本
６          抜かれ片（４ｂ）の張り出し
７          抜かれ片（４ｂ）のくびれ
【図１】
2005200047.tif 000003
【図２】
2005200047.tif 000004
(57)【要約】【課題】        従来の鉄道用車輪は内側にのみフランジがついている構造の車輪であったため、内側フランジが線路に乗り上げ脱輪する可能性があった。本発明はこれを未然に防止するための車輪の構造に関するものである。【解決手段】  鉄道用車輪の外側に内側フランジより大きく、走行上問題の発生しない範囲での最大径の脱輪防止用フランジを設け、通常の条件では脱輪しない構造の車輪とすることにより、曲線部走行中に速度超過や急制動などにより車両が浮き上がった場合においても、外側に設けた脱輪防止用フランジにより、脱輪を防ぐことができる。この外側フランジは従来の車輪に取り付けることもでき、比較的低コストで安全走行を確保することができる。【選択図】        図１
2005200021.tif 000002
【特許請求の範囲】
【請求項１】
鉄道用車輪の外側に脱輪防止用フランジを設けた構造の車輪
【発明の詳細な説明】
【技術分野】
【０００１】
本発明は、鉄道用の脱輪防止用フランジ付き車輪に関するものである。
【背景技術】
【０００２】
従来の鉄道用車輪は内側にのみフランジがついている構造の車輪であったが、内側フランジが線路に乗り上げ脱輪する可能性があった。本発明は内側フランジより大きな外径の脱輪防止用フランジを設け脱輪を未然に防ぐ効果をもたせたものである。
【特許文献１】特許公開２００５−１０４４６６
【発明の開示】
【発明が解決しようとする課題】
【０００３】
従来の鉄道用車輪は内側にのみフランジがついている構造の車輪であったため、内側フランジが線路に乗り上げ脱輪する可能性があった。本発明はこれを未然に防止するための車輪の構造に関するものである。
【課題を解決するための手段】
【０００４】
鉄道用車輪の外側に内側フランジより大きく、走行上問題の発生しない範囲での最大径の脱輪防止用フランジを設け、通常の条件では脱輪しない構造の車輪。
【発明の効果】
【０００５】
鉄道用車輪の外側に内側フランジより大きく、走行上問題の発生しない範囲での最大径の脱輪防止用フランジを設けることにより、曲線部走行中に速度超過や急制動などにより車両が浮き上がった場合においても、外側に設けた脱輪防止用フランジにより、脱輪を防ぐことができる。
【実施例】
【０００６】
実施例を図１を用いて説明する。
図１は当発明を適用した脱輪防止用フランジ付き車輪の構造図である。鉄道用車輪１の外側に走行上問題の発生しない範囲での最大径の脱輪防止用フランジ２を設けることにより、車両が浮き上がった場合においても脱輪を未然に防ぐことができる。
【図面の簡単な説明】
【０００７】
【図１】当発明を適用した脱輪防止用フランジ付き車輪の構造図である。
【符号の説明】
【０００８】
１  鉄道用車輪本体
２  外側フランジ
【図１】
2005200021.tif 000003
(57)【要約】【課題】内容物の取出時における落下を防止できる包装箱を提供する。【解決手段】前壁１、底壁２、後壁３及び一対の側壁７を備え、後壁３の端縁に蓋板４を連設し、蓋板４の先端から延びる差込片５を前壁１の内側に差し込んで封緘する包装箱において、前壁１に端縁から始まる切込線９と、その終端を一端として側方へ延びるヒンジ線１０と、両ヒンジ線１０の他端を繋ぐ切込線１１とを入れて、引倒部１２及び押込ストッパ部１３から成る揺動片１４を設ける。引倒部１２を手前に引くと共に、押込ストッパ部１３を押し込んで、揺動片１４をヒンジ線１０を軸に揺動させ、蓋板４を開いて、開口部を下方へ向けると、滑り出した環状蛍光灯Ｒが押込ストッパ部１３に一旦引っ掛かるので、環状蛍光灯Ｒの不用意な落下に伴う破損が防止される。【選択図】図４
2005200025.tif 000002
【特許請求の範囲】
【請求項１】
前壁、底壁、後壁及び一対の側壁を備え、後壁の端縁に蓋板を連設し、蓋板の先端から延びる差込片を前壁の内側に差し込んで封緘する包装箱において、前壁に端縁から始まる切込線とヒンジ線とを入れて、引倒部及び押込ストッパ部から成り、ヒンジ線を軸に揺動する揺動片を設けたことを特徴とする落下防止包装箱。
【発明の詳細な説明】
【技術分野】
【０００１】
この発明は、環状蛍光灯の個別包装等に使用される包装箱に関するものである。
【背景技術】
【０００２】
従来、環状蛍光灯の包装箱として、図５に示すように、前壁５１、底壁５２、後壁５３及び一対の側壁５４を備え、各側壁５２の端縁に連設した折曲片５５を内側へ折り曲げ、後壁５３の上縁に連設した蓋板５６を閉じ、蓋板５６の先端縁から延びる差込片５７を前壁５１の内側に差し込んで封緘し、前壁５１の上縁中央部に、差込片５７を露出させて開封を補助する弧状の切欠部５８を形成したものが使用されている。
【発明の開示】
【発明が解決しようとする課題】
【０００３】
しかしながら、上記のような包装箱では、蓋板５６を開いて環状蛍光灯を取り出す際、開口部を下方へ向けると、滑り出した環状蛍光灯が落下して破損する危険性があった。
【０００４】
そこで、この発明は、内容物の取出時における落下を防止できる包装箱を提供することを課題とする。
【課題を解決するための手段】
【０００５】
上記課題を解決するため、この発明は、前壁、底壁、後壁及び一対の側壁を備え、後壁の端縁に蓋板を連設し、蓋板の先端から延びる差込片を前壁の内側に差し込んで封緘する包装箱において、前壁に端縁から始まる切込線とヒンジ線とを入れて、引倒部及び押込ストッパ部から成り、ヒンジ線を軸に揺動する揺動片を設け、押込ストッパ部により内容物の落下を防止することとしたのである。
【発明の効果】
【０００６】
この包装箱では、引倒部を手前に引くと共に、押込ストッパ部を押し込んで、揺動片をヒンジ線を軸に揺動させ、蓋板を開いて、開口部を下方へ向けると、滑り出した内容物が押込ストッパ部に一旦引っ掛かるので、内容物が不用意に落下して破損することがない。
【発明を実施するための最良の形態】
【０００７】
以下、この発明の実施形態を図１乃至図４に基づいて説明する。
【０００８】
図１に示すブランクでは、前壁１の下縁に底壁２、後壁３、蓋板４及び差込片５が順次連設され、後壁３の両側に内側板６が、前壁１の両側に側壁７が、側壁７の上下に折曲片８がそれぞれ連設されている。前壁１には、上端中央の切欠部から始まる２本の切込線９と、その終端を一端として両側方へ延びるヒンジ線１０と、両ヒンジ線１０の他端を繋ぐ切込線１１とを入れて、引倒部１２及び押込ストッパ部１３から成る揺動片１４が設けられ、切込線９，１１には、揺動片１４を固定する繋部が設けられている。
【０００９】
上記ブランクを組み立てて環状蛍光灯を包装するには、図２に示すように、前壁１と後壁３とを底壁２を介して対向するように折り曲げ、前壁１と後壁３の間に環状蛍光灯を挿入し、内側板６と側壁７とを貼り合わせ、折曲片８を内側へ折り曲げ、蓋板４を閉じ、差込片５を前壁１の内側に差し込んで封緘する。
【００１０】
このような包装箱から環状蛍光灯を取り出す際には、図３に示すように、引倒部１２を手前に引くと共に、押込ストッパ部１３を押し込んで、切込線９，１１の繋部を切断し、揺動片１４をヒンジ線１０を軸に揺動させると、差込片５が先端側まで露出するので、その端縁に指を掛けて、蓋板４を容易に開くことができる。
【００１１】
そして、この状態で、図４に示すように、開口部を下方へ向けると、滑り出した環状蛍光灯Ｒが押込ストッパ部１３に一旦引っ掛かるので、環状蛍光灯Ｒが不用意に落下して破損することがない。
【００１２】
その後、環状蛍光灯Ｒを引っ張ってさらに引き出すと、押込ストッパ部１３はヒンジ線１０を基端として前壁１の内側へ重なるように折り込まれ、環状蛍光灯Ｒとの係合が解除されるので、環状蛍光灯Ｒを容易に取り出すことができる。
【図面の簡単な説明】
【００１３】
【図１】この発明に係る落下防止包装箱のブランクを示す図
【図２】同上の封緘状態を示す斜視図
【図３】同上の開封過程を示す斜視図
【図４】同上の環状蛍光灯の取出過程を示す斜視図
【図５】従来の包装箱の封緘状態を示す斜視図
【符号の説明】
【００１４】
１  前壁
２  底壁
３  後壁
４  蓋板
５  差込片
６  内側板
７  側壁
８  折曲片
９  切込線
１０  ヒンジ線
１１  切込線
１２  引倒部
１３  押込ストッパ部
１４  揺動片
【図１】
2005200025.tif 000003
【図２】
2005200025.tif 000004
【図３】
2005200025.tif 000005
【図４】
2005200025.tif 000006
【図５】
2005200025.tif 000007
(57)【要約】【課題】従来は多数隙間なく並んだのＣＤ−Ｒケースの中から目的のＣＤ−Ｒケースを探し出すの非常に時間がかかった。また、見つけたＣＤ−Ｒケースを取り出し難かった。【解決手段】本発明はＣＤ−Ｒケースにインデックスカードの一部をはみ出させ、その部分に検索機能とＣＤ−Ｒケースの引き手機能を付加した物である。【選択図】図１
2005200091.tif 000002
【特許請求の範囲】
【請求項１】
インデックスカードの一部をＣＤ又はＣＤ−Ｒケースからはみ出させ、そのはみ出させた部分に検索用タイトルを表示することを特徴とするＣＤ又はＣＤ−Ｒのインデックスカード。
【請求項２】
請求項１記載のインデックスカードを有するＣＤ又はＣＤ−Ｒケース。
【発明の詳細な説明】
【技術分野】
【０００１】  本発明はＣＤケース及びＣＤ−Ｒケース用インデックスカードに関するものである。
【背景技術】
【０００２】  従来のＣＤ−ＲのインデックスカードはＣＤ−Ｒケースの中にきれいに収まっていてインデックスカードには、検索機能はなく、多数のケースから目的のＣＤ−Ｒを見つけることが難しかった。また多数のＣＤ−Ｒケースが隙間なく並んでいると目的のＣＤ−Ｒケース１つを引き出し難かった。
【発明の開示】
【発明が解決しようとする課題】
【０００３】  ＣＤ−Ｒの中身をあらわすインデックスカードに検索機能を付加することで多数のＣＤ−Ｒケースの中から目的のＣＤ−Ｒを見つけやすくするものである。【０００４】  また、多数のＣＤ−Ｒケースが隙間なく並んだ状態から一つの目的のＣＤ−Ｒケースを簡単に引き出すことができるようにするものである。
【課題を解決するための手段】
【０００５】  そこで本発明のＣＤ−ＲのインデックスカードはＣＤ−Ｒケースから一部をはみださせ、その部分に検索機能との指でつまむ、つまみ代を設けることとした。
【発明の効果】
【０００６】  以上のようにインデックスカードに検索機能とつまみ代を設けることで、多数並んだＣＤ−Ｒを検索、目的のタイトルを見つけだし、容易にＣＤ−Ｒを引き出し、手にすることができるようにしたものである。
【発明を実施するための最良の形態】
【０００７】  本発明の検索機能つきＣＤ−Ｒのインデックスカードは一枚の紙で、検索のためのタイトル表示部分と従来からのインデックス表示部とで出来ている。【０００８】以下、本発明の実施の形態を図１から図５に基づいて説明をする。【０００９】  図１は透明のＣＤ−Ｒケース５（２点鎖線）に本発明のインデックスカード（薄墨部）を収容した状態を該略図として示しており、ＣＤ−Ｒケース５よりはみ出した１はインデックスカードのタイトル表示部となり、多数並んだＣＤ−Ｒケースの中から１つを矢印Ａの方向にケースごと引き出す、つまみ代となる。従来のインデックスカードに相当する部分は２である。なお、ＣＤ−Ｒのディスクは４である。【００１０】  図２は本発明のインデックスカードだけを斜視図で表示したもので、１はタイトル表示部。従来のインデックスカードに相当する部分は２である。１と２の境目には折り目３をつけている。【００１１】  図３は図２の平面図で、紙の弾力性により折り目３を支点として、ＣＤ−Ｒのタイトル表示部１を矢印Ｂの方向に指で可動することができる。【００１２】  図４はＣＤ−Ｒケースの蓋５（２点鎖線）の裏側に本発明のインデックスカード（薄墨部）を収容した状態を示している。【００１３】  図５は本発明のインデックスカードを利用したＣＤ−Ｒケースを多数並べた状態を上から見た概略図（中のＣＤ−Ｒケース等は省略して表現）である。【００１４】  図５において目的のＣＤ−Ｒを検索するには指を矢印のＢやＣの方向にスライドさせて検索、目的のＣＤ−Ｒタイトルや検索項目をＤの矢印の方向から見ながら素早く探し出すことができる。また、検索した１枚のＣＤ−Ｒを指で簡単にＡの方向に引き出すことが出来る。
【図面の簡単な説明】
【００１５】
【図１】本発明の実施形態で本発明のインデックスカードがＣＤ−Ｒケースに収容された概略斜視図。
【図２】本発明の斜視図。
【図３】本発明のタイトル表示部の可動の様子を示している平面図。
【図４】ＣＤ−Ｒケースの蓋の裏側（２点鎖線）に本発明インデックスカードを収容した状態を示した図。
【図５】ＣＤ−Ｒの検索とＣＤ−Ｒケースを引き出す状態を示した該略図。
【符号の説明】
１    インデックスカードタイトル表示部
２    インデックスカード
３    境界線（折り目）
４    ＣＤ−Ｒディスク
５    ケース
６    ケース側リブ
【図１】
2005200091.tif 000003
【図２】
2005200091.tif 000004
【図３】
2005200091.tif 000005
【図４】
2005200091.tif 000006
【図５】
2005200091.tif 000007
(57)【要約】【課題】輸送用のパッレットに荷物を積み、パッレトを並べる時の荷物どうしが擦れ合い、それが原因で荷物が破損することがよく発生した。【解決手段】パッレトの上面を、底面より狭くし並べた時に荷物どうしに隙間を設ける。【選択図】図１
2005200093.tif 000002
【特許請求の範囲】
【請求項１】
底面より上面の面積を狭くすることを特徴とするパレット
【発明の詳細な説明】
【技術分野】
【０００１】  この発明は、輸送用に用いるパッレトの形状に関する。
【背景技術】
【０００２】  従来の輸送用パッレトは図２に示すように、底面と上面が同じ面積になっているものである。
【発明の開示】
【発明が解決しようとする課題】
【０００３】しかしながら、従来のパッレトは上にのせている荷物がお互いに擦れ合い破損することがよく発生した。  そこで、この発明は、パッレトの上にのせた荷物がお互いに擦れ合わないことを課題とする。
【課題を解決するための手段】
【０００４】以上の課題を解決するために、上面を底面より狭く設計することを特徴とする輸送用パッレトである。
【発明の効果】
【０００５】  この発明のよれば、パッレトの上にのせた荷物と他のパッレトの上にのせた荷物の間に隙間ができ荷物が破損しにくい。
【発明を実施するための形態】
【０００６】  この発明の一実施形態を、図１に示す。  この実施形態では、パッレトの側面なかばより上面に傾斜をつくり、底面より上面が狭くなっている。
【０００７】  「実施形態の効果」  この実施形態によれば、パッレトの上面が底面より面積が狭いため、パッレトを並べた時に上にのせた荷物間に隙間ができ、擦れ合い破損の発生が少なくなる。
【０００８】「他の実施形態」  図１の実施形態では、パッレトの側面なかばより傾斜をつくっているが、他の実施形態では、傾斜はどこからでも良く、傾斜でなくても良い。
【図面の簡単な説明】
【０００９】
【図１】この発明の一実施形態の示す謝視図である。
【図２】従来のパッレトを示す謝視図である
【符号の説明】
【００１０】  １上面      ２底面      ３傾斜
【図１】
2005200093.tif 000003
【図２】
2005200093.tif 000004
(57)【要約】【課題】殆ど無料で手に入り、収納場所に困って空箱とか机の中に仕舞い込んで使わず古い物は変色したり、よれよれになってしまって挙句の果て捨ててしまう。普段購入しているティッシュでは、少し拭くのに大きすぎてもったいない場合も多々有るので、側に置いて目的よって使い分ければ省資源の貢献出来る。、【解決手段】なだらかなカーブを持った筒の中にポケットティッシュを重ねて収納し、取出す方向を横にしたことにより場所を選ばず置ける。【選択図】          図  ５
2005200095.tif 000002
【特許請求の範囲】
【発明の詳細な説明】
【技術分野】
【０００１】ポケットティッシュを数多く収納出来、古く詰めた物から取り出せテーブル、机等に置けるようティッシュの取出し口を横にした。
【背景技術】
【０００２】従来は上から収納し上から取出す物とか収納箱を吊下げ又は壁付け式で下から取り出す物しか無かったので、古い物は長く残ったり置く場所に制限があった。
【発明の開示】
【発明が解決しようとする課題】
【０００３】ポケットティッシュは粗品や街頭ＰＲ等で無料で簡単に手に入る。
しかしそのまま部屋におけば散らかって見え、整理するために空箱に入れたり引出しに仕舞い込んだりすると、使い忘れてしまうことも多い。
またティッシュの残り少ない物、古くなって変色してしまったものは、捨ててしまう事も有る。そこで手元に置いて使い易くすることで、大切な資源を無駄にすることが防げる。
【課題を解決するための手段】
【０００４】据置いて使える構造にしたから、身近に置け、かつ簡単にティッシュを順次取り出せ収納も容易にできるようにした。
【発明の効果】
【０００５】いつも側に置いて簡単に収納し、また取出すことが出来るので部屋の整理整頓に役立ち、仕舞込んだ場所を忘れていつの間にか使わずじまいで捨てることもなく資源を無駄なく大切に出来る。
【図面の簡単な説明】
【０００６】
【図１】▲１▼本体の上部に適度な重量を持った蓋（▲２▼重し蓋と呼ぶ）を設け、その▲２▼重し蓋の片方の端に▲３▼通し軸が有り、その軸は▲４▼スリット（裏側面にも同様のスリットが有る）間を貫通しているが▲１▼本体とは固定せず、スリットに沿って自由に上下する。また▲２▼重し蓋の開閉軸代りにもなっている。▲５▼重し蓋ツマミを持って上方に上げれば開口するので、ポケットティッシュを補充出来る。
【図２】ポケットティッシュを充填して（満杯に入れなくても良い）▲２▼重し蓋をティッシュの上に乗せれば適度な荷重が掛り▲６▼取出し口にティッシュが密着することによってティッシュの取出しが出来る。
【図３】▲２▼重し蓋と最後のティッシュの様子を表現してみた。
【図４】▲１▼本体の正面図で取出し口及び▲３▼通し軸の両端に▲７▼化粧ツマミを設けた。これは▲２▼重し蓋が下部まできて引上げ難くなった場合の補助に使う。
【図５】全体外形図を表す。
【符号の説明】
▲１▼、収納本体
▲２▼、重し蓋
▲３▼、通し軸
▲４▼、スリット
▲５▼、重し蓋ツマミ
▲６▼、ティッシュ取出し口
▲７▼、化粧ツマミ
▲８▼、ポケットティッシュ
【図１】
2005200095.tif 000003
【図２】
2005200095.tif 000004
【図３】
2005200095.tif 000005
【図４】
2005200095.tif 000006
【図５】
2005200095.tif 000007
【手続補正書】
【提出日】平成16年4月12日(2004.4.12)
【手続補正１】
【補正対象書類名】特許請求の範囲
【補正対象項目名】全文
【補正方法】追加
【補正の内容】
【特許請求の範囲】
【請求項１】
直線となだらかなカーブを持つ筒と、それに伴ってガイド用スリットに沿って下降する重し蓋がティッシュ袋を詰めた順に本体下部の取出口まで作用していく収納箱である。
(57)【要約】      （修正有）【課題】僅かなコストで調味料を調理済み食品に添付することができ、指先を汚す事なく、かつ食事の際に小皿として使用することができる食品容器の提供。【解決手段】調理済み食品容器の内部に調味料等を入れる仕切りを設け、密閉式のフタをはめ込む。【選択図】図１
2005200097.tif 000002
【特許請求の範囲】
【請求項１】
密閉式のフタを有する凹部を、容器本体、又は容器のフタの内部に設けた調理済み食品の容器
【発明の詳細な説明】
【発明の詳細な説明】
［発明の属する技術分野］
【０００１】  本発明は、弁当、握りずし、トンカツ、サシミ等、調味料等を必要とし、そのまま食べることを前提とする調理済み食品の容器に関するものである。
［従来の技術］
【０００２】  従来のこの種の容器では、容器から直接食べるには、ソース、ショーユ等の液状調味料を、別に用意しなければならず、不便であった。またビニール袋に入った添付の調味料があっても掛ける際に調味料がこぼれたり、手に付いたりする欠点があった。
［発明が解決しようとする課題］
【０００３】  本発明は、調理済みの食品、例えば、握りずしは容器の中にショーユが、つけれる状態でセットされてあればよいと考えた。
［課題を解決するための手段］
【０００４】  食品容器の一部に、ショーユ溜めを設けて、予めショーユを入れておき、運搬中もこぼれない様に、押し込み式の密閉蓋をすることによって、解決できる。
［発明の実施の形態］
【０００５】  このショーユ溜めは、食品容器本体ではなく、容器の蓋の一部にあってもよく、押し込み式の密閉蓋をはずすことによって使用時には小皿の機能も果たすことになる。
［実施例］
【０００６】  よく使用される真空成型による容器では、単に調味料入れ部分の仕切りの形状を、密閉用の押し込みフタに適合させるだけでよく、容器の本質を全く変える事はない。
［発明の効果］
【０００７】  本発明を実施することにより、極めて僅かなコストを掛けることで、調味料を調理済み食品に添付することができ、しかも運搬中の心配もなく、指先を汚さないで使用でき、かつ調味料用の小皿を兼ねることにもなる。
また、例え万一調味料が押し込みフタから滲み出ることがあったとしても食品容器内に収まり、大事に至ることはない。従来の容器に、別に添付することとの違いは明白である。
また、フタにアルミ箔を貼る等の加工をすることで、電子レンジで食品容器全体を加熱しても調味料等は加熱されない効果も考えられる。
【図面の簡単な説明】
【図１】    本発明の実施例の断面図である。
【図２】    本発明の実施例の平面図である。
【符号の説明】
（１）は調理済み食品の容器本体、（２）は同容器のフタ（３）は凹部のフタ（４）は調味料等（５）は容器の凹部
【図１】
2005200097.tif 000003
【図２】
2005200097.tif 000004
(57)【要約】【課題】  この発明は１枚の紙を折りまげて組み立てる扉付き２重構造の六面体に関するものである。【解決手段】  １２面の四角形の組み合わせと切り込み位置を工夫し、さらにストッパーを付けることで扉にした。【選択図】  図１
2005200094.tif 000002
【特許請求の範囲】
【請求項１】
（イ）１枚の板紙に１２面の四角形の組み合わせで構成される。
（ロ）図１のように配置し、四角形の重なる辺を折り線（６）とする。
（ハ）切り込み線（５）を所定の位置に入れる。
以上の如く構成されることにより１枚の紙を折曲げて組み立てられる扉付き２重構造の六面体
【請求項２】
扉（１）となる面にストッパー（２）と取っ手（３）を設け、内側の面に差し込み口（４）を付けた請求項１の扉付き２重構造の六面体
【請求項３】
プラスチック、布、皮製品等に素材を変更して作られる請求項１の扉付き２重構造の六面体
【発明の詳細な説明】
【図面の簡単な説明】
【図１】  本発明の展開図
【図２】  本発明の使用斜視図
【符号の説明】
１は扉
２はストッパー
３は取っ手
４は差し込み口
５は切り込み線
６は折り線
【図１】
2005200094.tif 000003
【図２】
2005200094.tif 000004
(57)【要約】【課題】  装飾性と健康志向性を兼ね備え，塑性加工性のよい装身具用チタン合金を提供する．【解決手段】  １〜１０重量％のゲルマニウムを含み，残部がチタンからなることを特徴とする装身具用チタン合金．これにより装飾性を兼ね備えた健康志向型装身具を提供できる．【特許請求の範囲】
【請求項１】
１〜１０重量％のゲルマニウムを含み，残部がチタンからなることを特徴とする装身具用チタン合金．
【請求項２】
１．５重量％以上のゲルマニウムを含むことを特徴とする，請求項１記載の装身具用チタン合金．
【請求項３】
５重量％未満のゲルマニウムを含むことを特徴とする，請求項１または２記載の装身具用チタン合金．
【発明の詳細な説明】
【技術分野】
【０００１】  本発明はチタンを主成分とする装身具用チタン合金に関するものである．
【背景技術】
【０００２】  チタンを主成分とするチタン合金は，従来から軽量高強度材料として宇宙開発用機器，深海調査船や航空機の機体など，軽量耐熱材料としてジェットエンジン部品，また高強度耐食材料として一般工業用に用いられている．これらチタン合金にはα形チタン合金，β形チタン合金，α＋β形チタン合金および機能性チタン合金があり，用途に応じて広く一般に出回っていることが知られている．【０００３】  一方ゲルマニウムを含む合金としては特開２０００−１４４２８３号，特開２００２−１０５５５８号などが知られている．【０００４】  ここで特開２０００−１４４２８３号は装身具用銀合金を開示しており，銀を主成分としてゲルマニウムとインジウムを含んでいる．【０００５】  また，特開２００２−１０５５５８号は装身具用金合金を開示しており，金を主成分としてゲルマニウム，銀および銅を含んでいる．
【発明の開示】
【発明が解決しようとする課題】
【０００６】  上記背景技術でチタン合金は，工業材料や機能性材料として用途に応じた合金が溶製され，それぞれに適合した特性を備えている．【０００７】  しかし，純チタンは金属アレルギーを起こさない金属として知られているが，これらチタン合金が装身具用に用いられた例は少なく，またゲルマニウムを含む装身具用チタン合金はこれまで提供されていない．【０００８】  一方，ゲルマニウムを含む装身具用合金は健康志向合金とされているが，特開２０００−１４４２８３号はゲルマニウムを１〜９重量％含む銀合金であり，また特開２００２−１０５５５８号はゲルマニウムを３〜５重量％含む金合金で，ゲルマニウムを含む装身具用チタン合金はこれまでに提供されていない．【０００９】  そこで本発明は，研究，検討を重ねた結果，健康志向型合金として最適な構成成分を持つ新規な装身具用チタン合金を開発したものである．
【課題を解決するための手段】
【００１０】  上記課題を解決すること，つまり装飾性をもち健康志向型で塑性加工性のよい装身具用チタン合金を得ることを目的とした．【００１１】  本発明による装身具用チタン合金は，チタン主成分とし，ゲルマニウムが１〜１０重量％からなることを特徴とするものである．【００１２】  ここでゲルマニウム含有率を１〜１０重量％としたのは，チタンへのゲルマニウムの固溶域を考慮し，高強度で塑性加工性がよく，さらにゲルマニウムを含む健康志向型装身具として対応できる範囲である．【００１３】  本発明による装身具用チタン合金は１．５重量％以上のゲルマニウムを含むことも特徴とする．これは強度を向上させることができる．【００１４】  本発明による装身具用チタン合金は５重量％以下のゲルマニウムを含むことも特徴とする．これは塑性加工性を向上させることができる．
【発明の効果】
【００１５】  本発明によれば，装飾性と健康志向性を兼ね備えた，装身具用チタン合金を得ることができる．
【発明を実施するための最良の形態】
【００１６】  本発明はチタンに適量のゲルマニウムを加えることにより，装飾性と健康志向性としての価値を付加した装身具用チタン合金を開発したものである．
【実施例１】
【００１７】  まず，本発明のチタン合金のゲルマニウム含有率による，合金状態，塑性加工性および色調を検討した．各組成に配合した材料はアーク溶解で溶製し円板状試料とした．この試料は圧延ロールを用い５０％の加工率で冷間加工して加工性を試験した．合金性および色調は純チタンとの差を目視で比較した．その結果をＴａｂｌｅ１に示す．
2005200760.tif 000002
Ｔａｂｌｅ１に示したように，加工性試験ではゲルマニウム含有率１０重量％まで圧延加工できた．また，合金性および色調はゲルマニウム含有率０．５重量％〜３０重量％の範囲で純チタンと同等であった．
【実施例２】
【００１８】  次に，本発明のチタン合金のゲルマニウム含有率による硬さの変化を調べた．各組成に配合した材料はアーク溶解で円板状試料とし，ビッカース硬さ試験機で表面の硬さを測定した．その結果をＴａｂｌｅ２に示す．
2005200760.tif 000003
Ｔａｂｌｅ２に示したように，ゲルマニウム含有率が多くなるほど硬さが増し，高強度の合金となることがわかった．
【実施例３】
【００１９】  ゲルマニウム含有率３重量％のＴｉ−３Ｇｅ合金を高周波溶解炉で溶製しφ３０ｍｍのインゴットとした．この材料を熱間鍛造工程および伸線工程で加工しφ１ｍｍのワイヤーとした．この線材を編み工程で各種チェーンに加工し，ネックレス用チェーンとした．
【実施例４】
【００２０】  実施例３で製造したインゴットをφ２ｍｍの丸線に加工した．この材料をスウェージング加工後メガネ用材料とした．適度なバネ性と共に高強度特性を持つメガネ材に適した材料を得た．
(57)【要約】  【課題】看護や介護において、身体の清拭に用いる錠剤に関し、老人臭や糞尿臭を消臭するとともに、使用しやすい大きさの錠剤を提供すること。  【解決手段】本発明にかかる清拭用発泡錠剤１は、天然香料および薬効成分を含有してなることを特徴とし、１錠当たり８グラム以上15グラム以下とし、１錠づつアルミニウム袋に密封した。さらに、前記天然香料としては、土かっ香の成分を含有している。【選択図】      図１
2005200331.tif 000002
【特許請求の範囲】
【請求項１】
天然香料および薬効成分を含有してなる清拭用発泡錠剤。
【請求項２】
１錠当たり８グラム以上15グラム以下としたことを特徴とする請求項１に記載の清拭用発泡錠剤。
【請求項３】
１錠づつアルミニウム袋に密封したことを特徴とする請求項１、２の何れか１項に記載の清拭用発泡錠剤。
【請求項４】
前記天然香料は、土かっ香の成分を含有していることを特徴とする請求項１、２、３の何れか１項に記載の清拭用発泡錠剤。
【発明の詳細な説明】
【技術分野】
【０００１】
本発明は、看護や介護において、身体の清拭に用いる錠剤に関するものである。
【背景技術】
【０００２】
従来より、身体の清拭には、石鹸等の成分を含有した薬剤が用いられている。それらの薬剤としては、取り扱いが便利であるということから、固形の錠剤のものが取り扱いが使用されることが多い。そのような錠剤（例えば40グラム）を、浴槽（例えば180リットル）に投入して溶解させて使用することが行われている。
【発明の開示】
【発明が解決しようとする課題】
【０００３】
ところが、上述したような従来の錠剤の場合には、浴槽に溶解することを目的としているため、180リットル程度の浴槽に対して適切な割合となるように40グラム程度の錠剤とされいる。
従って、看護や介護において用いる場合には、浴槽のように多量の水もしくは湯に溶解することは少ないため、40グラム程度の錠剤は大きすぎるという問題があった。そのため、使用する度に、錠剤を割って溶解するという手間が必要であった。
また、清拭するときに、介護対象者が老人である場合には老人臭を消臭するためには別途香料を使用しなければならないという問題や、糞尿臭等を消臭するためには別途香料を使用しなければならないという問題があった。
【０００４】
そこで、本発明は、看護や介護において、老人臭や糞尿臭を消臭するとともに、使用しやすい大きさの錠剤を提供することを目的としてなされたものである。
【課題を解決するための手段】
【０００５】
本発明にかかる清拭用発泡錠剤の請求項１は、天然香料および薬効成分を含有してなることを特徴としている。
請求項２では、１錠当たり８グラム以上15グラム以下としたことを特徴としている。
請求項３では、１錠づつアルミニウム袋に密封したことを特徴としている。
請求項４では、前記天然香料は、土かっ香の成分を含有していることを特徴としている。
【発明の効果】
【０００６】
本発明によれば、天然香料および薬効成分を含有しているので、介護、看護のサービスを提供する方の作業環境を改善するとともに、サービスを受ける方のサービス効果も増大する。また、１錠当たり８グラム以上15グラム以下とすることによって、介護、看護専用に使用する場合に最適な量となるので、割って使用する等の手間が不要となる。
さらに、１錠づつアルミニウム袋に密封したの芳香成分や薬効成分が長期間保持される。また、天然香料としては、土かっ香の成分を含有しているので、古来から知られている種々の効果が得られる。
【発明を実施するための最良の形態】
【０００７】
以下に、本発明にかかる清拭用発泡錠剤を、その実施の形態を示した図面に基づいて詳細に説明する。
１は本発明にかかる清拭用発泡錠剤であり、天然香料として土かっ香の成分を含有している。１錠当たり８グラム以上15グラム以下、好ましくは10グラムとし、直径2.5センチメートルで厚みが１センチメートルの円柱状の錠剤とし、二点鎖線で示したように、１錠づつアルミニウム袋２に密封してある。
【０００８】
土かっ香（かっ香）の成分は、古来より漢方または香料として使用されており、唐慎微が著した「名医別録」の土かっ香の項には、風水毒腫を療し、悪気を去り、心痛を療すと記載されているように、多くの薬効があることが知られている。
このような土かっ香の成分をオイル状に加工し、その上で更に発泡型錠剤にした溶解性の錠剤である。この成分が溶解すると、悪臭をマスキングして消臭効果が得られるとともに、芳香が得られるので、介護者もしくは看護者の不快感を抑制することができる。さらに、薬効成分による被介護者もしくは被看護者への薬効も得られる。
【０００９】
次に、本発明の清拭用発泡錠剤を用いた清拭方法を説明する。
病院または在宅介護時に行う身体清拭の際には、清拭に使用する湯または水（18リットル〜54リットル程度）の中に、本発明の清拭用発泡錠剤を１錠投入する。投入された清拭用発泡錠剤が溶解することによって、含有されているかっ香成分や他の薬効成分が溶けだして、使用する湯または水が芳香を持ったものとなる。従って、その湯または水を用いて清拭することによって、老人臭の除去や糞尿臭をはじめとする周囲の種々の臭いを消臭するとともに、かっ香の芳香が漂うのである。
【００１０】
このようにして、老人臭や糞尿臭の消臭効果があるとともに、芳香効果も得られる。そのため、介護、看護提供者の作業環境の改善効果も得られる。従って、介護、看護の受給者、家族等へのサービス効果が顕著となり、その結果正当な利益を享受することができる。
【図面の簡単な説明】
【００１１】
【図１】本発明にかかる清拭用発泡錠剤の実施の形態の説明図である。
【符号の説明】
【００１２】
１  清拭用発泡錠剤
２  アルミニウム袋
【図１】
2005200331.tif 000003
(57)【要約】【課題】本発明は、床面に敷設された鉄筋と干渉することなく、確実、かつ容易に開口補強材を床面に取付けることを可能であり、種々の固定方法に対応可能な金具および取付け構造を提供する。【解決手段】開口補強鋼材の取付け金具Ａにスリット１を設け、スリット１は垂直部分の面材２のほぼ１／２まで連続し、スリット１より床面に敷設された鉄筋と干渉することなく開口補強鋼材３を固定する。【選択図】  図１
2005200985.tif 000002
【特許請求の範囲】
【請求項１】
断面がＬ字型の形状であって、水平面から垂直面の高さのほぼ１／２の位置まで幅のほぼ中央にスリットを有し床面に敷設された鉄筋と干渉しないことを特徴とする開口補強材の固定用金具。
【請求項２】
開口補強材を固定する取付け構造であって、請求項１の金具の水平面材と床面に敷設された鉄筋と溶接固定し、垂直面材に開口補強材を溶接し開口補強材が固定されていることを特徴とする開口補強材の取付け構造。
【発明の詳細な説明】
【技術分野】
【０００１】
本発明は、主に建築物の間仕切壁に使用される軽量気泡コンクリートパネル等の開口補強鋼材を固定するための取付け金具および取付け構造に関する。
【背景技術】
【０００２】
軽量気泡コンクリートパネル等の間仕切壁などで開口を設ける場合、開口補強鋼材を床スラブに固定する必要がある。
【０００３】
図７は軽量気泡コンクリートパネルの全体を示す図であり、開口補強鋼材は図７の丸で示す個所に適用される。図６は従来の開口補強鋼材の取付け構造の一例を示す図であり、その固定方法は、図６ａに示すように、床スラブ４などに床上に敷設された鉄筋８に開口補強鋼材３を溶接し、あるいは、図６ｂに示すように、平鋼からなるベースプレート７を予めアンカーボルト６で固定した後に開口補強鋼材３を溶接して取付けられる。
【発明の開示】
【発明が解決しようとする課題】
【０００４】
しかしながら、前者の場合開口補強鋼材３と敷設された鉄筋８とは点溶接９となるため、開口補強鋼材の取付け強度に問題がある。
【０００５】
また、後者の場合は、パネルを建てこむ前にベースプレート７を床スラブにアンカーボルト６等により設置しておく必要があり、ベースプレート７には、あらかじめアンカーボルト６用の孔をあけておく必要がある。
【０００６】
本発明は、前記課題を解決することにあり、その目的は、前記のごとく開口補強鋼材３の取付け部強度を確保し、かつ補強鋼材を容易に固定できる開口補強鋼材３の取付け金具および取付け構造を提供するものである。
【課題を解決するための手段】
【０００７】
前記目的を達成させるための本発明に係る取付け金具は、断面がＬ字型の形状をなす板状の金具であって、該金具の水平面材および垂直面材の高さ１／２の位置まで、金具のほぼ中央に床スラブに敷設された鉄筋８の径もしくはアンカーボルト６の径にほぼ等しい寸法のスリットを有し、該金具の水平面を床面などに敷設された鉄筋８に溶接による固定し、垂直面は開口補強材３に溶接により固定する。
【０００８】
スリットを有することにより、床面に敷設された鉄筋との干渉を避けることが可能である。また、垂直面材を有することにより、開口補強鋼材３の長さの誤差を吸収することが可能である。また、前記金具はパネルの建て込み前およびに建て込み後のいずれの場合にも開口補強鋼材３を床スラブ４に固定することが可能である。
【発明の効果】
【０００９】
本発明は、上記のごとく断面がＬ字型の形状であって、水平面から垂直面の高さのほぼ１／２の位置まで幅のほぼ中央にスリットを有し床面に敷設された鉄筋と干渉せず、確実に床スラブに開口補強鋼材を固定することができ、かつ敷設された鉄筋以外の固定方法にも対応することが可能で取付け強度も確保できる。また、垂直面２を有する金具Ａにより、開口補強鋼材３の長さの誤差を容易に吸収することができる。
【発明を実施するための最良の形態】
【００１０】
本発明の固定用金具は断面がＬ字型の形状であって、水平面から垂直面の高さのほぼ１／２の位置まで幅のほぼ中央にスリットを有し床面に敷設された鉄筋と干渉しないことを特徴とする。また、開口補強材を固定する取付け構造であって、請求項１の金具の水平面材と床面に敷設された鉄筋と溶接固定し、垂直面材に開口補強材を溶接し開口補強材が固定されていることを特徴とする。
【実施例】
【００１１】
図により本発明に係る開口補強鋼材の取付け金具および取付け構造の実施例を具体的に説明する。図２は本発明に係る取付け構造を示す断面説明図、図３は本発明に係る取付け構造を示す斜視図、図１は本発明に係る取付け金具を示す斜視図、図６は従来の取付け構造を示す斜視説明図である。
【００１２】
図２〜図５において、断面がＬ字型の形状をなす板状の金具であって、該金具の水平面材および垂直面材の高さ１／２の位置まで、金具のほぼ中央に床スラブに敷設された鉄筋８の径もしくはアンカーボルト６の径にほぼ等しい寸法のスリット１を有し、床スラブに敷設された鉄筋を水平面と溶接することにより固定される。
【００１３】
また、床面に敷設された鉄筋以外の取付け構造として、断面がＬ字形の形状をなす板状の金具Ａの、水平面材に打ちこみ鋲５を打鋲、もしくは水平部分のスリット溝部をアンカーボルト６により、床スラブ４に締め付け固定することが可能である。上記金具Ａの垂直面材２は開口補強材３に溶接により固定される。
【００１４】
上記構成であれば、種々の固定方法に対応でき、開口補強鋼材を床スラブに確実に固定することが可能である。また、垂直部の面２を有することにより、開口補強鋼材３が床スラブまで達することなく固定することが可能であり、開口補強鋼材３の長さ寸法の管理が容易である。また、開口補強鋼材３の取付けがパネル建て込み前および建て込み後のいずれの場合においても可能である。
【図面の簡単な説明】
【００１５】
【図１】本発明に係る取付け金具を示す斜視図である。
【図２】本発明に係る取付け構造を示す断面説明図である。
【図３】本発明に係る取付け構造を示す斜視図である。
【図４】本発明に係る取付け構造を示す斜視図である。
【図５】本発明に係る取付け構造を示す斜視図である。
【図６】従来例の取付け構造を示す斜視図である。
【図７】パネルの全体を示す斜視図である。
【符号の説明】
【００１６】
Ａ  開口補強鋼材取付け金具
１  スリット
２  垂直面材
３  開口補強鋼材
４  床スラブ
５  打ちこみ鋲
６  アンカーボルト
７  ベースプレート
８  鉄筋
９  パネル
１０  点溶接
【図１】
2005200985.tif 000003
【図２】
2005200985.tif 000004
【図３】
2005200985.tif 000005
【図４】
2005200985.tif 000006
【図５】
2005200985.tif 000007
【図６】
2005200985.tif 000008
【図７】
2005200985.tif 000009